(57)【要約】【課題】製品を外箱内で固定する成型トレーを、全長が異なる製品に共通して使用できるようにし、衝撃に対する緩衝効果も向上させる。【解決手段】製品Ｓ1,Ｓ2を外箱２０内で固定するための成型トレー１が、トレー１の長手方向の少なくとも一端にヒンジ２を介してフラップ３を有し、フラップ３はその上面側に凸となった緩衝部４を有する。トレー１の長手方向の両側縁部には、両側縁部の全長に至らない範囲でサイド土手７を設け、トレー１の長手方向のサイド土手不存在領域９にはサイド土手７よりも高さが低い枕状土手１０を設ける。【選択図】図１
2010023913.tif 000002
【特許請求の範囲】
【請求項１】
製品を外箱内で固定するための成型トレーであって、そのトレーの長手方向の少なくとも一端にヒンジを介してフラップが設けられ、フラップはその上面側に凸となった緩衝部を有し、トレーの長手方向の両側縁部に該両側縁部の全長に至らない範囲でサイド土手が設けられ、トレーの長手方向のサイド土手不存在領域にサイド土手よりも高さが低い枕状土手が設けられているトレー。
【請求項２】
トレーの長手方向の一端に、前記フラップがヒンジを介して設けられ、他端にエンド土手が設けられ、エンド土手の下端部がトレー中央側に突出した段差部を形成している請求項１記載のトレー。
【請求項３】
枕状土手の高さと段差部の高さが同じである請求項２記載のトレー。
【請求項４】
エンド土手の段差部以外の部分の厚さが、フラップの緩衝部の高さと略同一である請求項２又は３記載のトレー。
【請求項５】
サイド土手不存在領域のトレーの側縁部に枠状リブが形成されている請求項１〜４のいずれかに記載のトレー。
【請求項６】
枕状土手及び／又は段差部の上面が、該上面上に載置する製品の外形に応じて凹んでいる請求項１〜５のいずれかに記載のトレー。
【請求項７】
エンド土手の高さと、トレーの長手方向のフラップの長さとが同一であり、エンド土手の高さがサイド土手の高さ以上である請求項２〜６のいずれかに記載のトレー。
【請求項８】
サイド土手のトレー中央側のり面にリブが形成されている請求項１〜７のいずれかに記載のトレー。
【発明の詳細な説明】
【技術分野】
【０００１】
本発明は、製品を外箱内に固定するための成型トレーであって、全長の異なる製品に共通して使用することのできる成型トレーに関する。
【背景技術】
【０００２】
製品を外箱に収容するにあたり、外箱内での製品の移動、位置ずれ、がたつきなどを抑制すると共に、製品を衝撃から保護するため、プラスチック製の成型トレーが使用されている。
【０００３】
従来、成型トレーは、製品と外箱の形状や大きさに合わせて個々の製品ごとに製造される。例えば、全長が異なる２種の棒状製品の外箱として、１種の外箱を共通して使用する場合、２種の成型トレーが必要とされる。しかしながら、成型トレーは、製品が外箱から取り出された後は廃棄されるだけであるから、このような場合に２種の成型トレーを作製することは経済面からも環境面からも好ましくない。
【０００４】
このような問題に対し、製品を収容するプラスチック容器であって、その容器内で製品を固定するためのプラスチック量を低減するものとして、製品固定用のフラップをプラスチックケースに設けたものが提案されている（特許文献１）。
また、製品の一部を挟み込んで固定するトレーを、汎用の一般的な収容ケース内に装着することが提案されている（特許文献２）。
【０００５】
【特許文献１】特開２００１−１３９０１９号公報
【特許文献２】特開２００６−１６０３３１号公報
【発明の開示】
【発明が解決しようとする課題】
【０００６】
しかしながら、特許文献１の製品固定用のフラップを有するプラスチックケースは、衝撃に対する緩衝効果がないため、落下等の衝撃に対して製品を十分に保護することができない。また、ライン作業では、このプラスチックケースへの製品のセットが難しい。
【０００７】
特許文献２の製品の一部を挟みこむトレーも、挟み込んでいない部分についてはトレーの緩衝効果が製品に及びにくく、落下衝撃により製品が破損することが懸念される。
【０００８】
このような従来技術の課題に対し、本発明は、製品を外箱内で固定する成型トレーであって、全長が異なる製品に共通して使用することができ、衝撃に対する緩衝効果にも優れトレーを提供することを目的とする。
【課題を解決するための手段】
【０００９】
本発明は、上述の目的を達成するため、製品を外箱内で固定するための成型トレーであって、そのトレーの長手方向の少なくとも一端にヒンジを介してフラップが設けられ、フラップはその上面側に凸となった緩衝部を有し、トレーの長手方向の両側縁部に該両側縁部の全長に至らない範囲でサイド土手が設けられ、トレーの長手方向のサイド土手不存在領域にサイド土手よりも高さが低い枕状土手が設けられているトレーを提供する。
【発明の効果】
【００１０】
本発明のトレーによれば、長尺製品は枕状土手に載せるようにしてサイド土手の間に嵌め入れ、短尺製品はその端部が枕状土手に突き当たるようにしてサイド土手の間に嵌め入れることができるので、長さの異なる２種の製品をそれぞれ外箱に収容するにあたり、外箱だけでなくトレーも共通して使用することが可能となる。
【００１１】
また、本発明のトレーは、長尺製品、短尺製品のいずれについても、長手方向の衝撃に対しても短尺方向の衝撃に対しても緩衝効果を有するので、落下衝撃等から製品を保護することが可能となる。
【発明を実施するための最良の形態】
【００１２】
以下、図面を参照しつつ本発明を詳細に説明する。なお、各図中、同一符号は同一又は同等の構成要素を表している。
【００１３】
図１は、本発明の一実施例のトレー１の（ａ）斜視図、（ｂ）上面図、（ｃ）断面図、（ｄ）断面図である。このトレー１は、アイブロウペンシル、アイライナーペンシル、リップペンシル等の棒状乃至柱状の化粧用品であって、長さの異なる２種の製品の成型トレーとなるもので、一枚のプラスチックシートの成型により形成されている。
【００１４】
トレー１は、その長手方向の一端にヒンジ２を介してフラップ３を有し、フラップ３はその上面側に凸となった緩衝部４を有する。後述するように、フラップ３はヒンジ２により上面側、即ち緩衝部４を有する側に向けて矢印のように折り曲げられ、破線で示す位置をとり、これにより、緩衝部４は、このトレー１に嵌め入れられた長尺製品の端部の緩衝材となる。
【００１５】
トレー１の長尺方向の他端には、エンド土手５が設けられている。エンド土手５はシート材料を二つ折りにし、その折り山をエンド土手上面５ａにした形態をしており、エンド土手５の下端部にはトレー中央側に突出した段差部６が形成されている。この段差部６の上面６ａは、このトレー１に嵌め入れる長尺製品の外形と合致させることが好ましく、例えば、丸棒状製品を載置する場合には、図示したように凹曲面とすることが好ましい。
【００１６】
エンド土手５の高さＬ5 及びフラップ３の長さ（即ち、フラップ３を矢印のように折り曲げたときの高さ）Ｌ3 は、外箱の形状に合わせて調節することが好ましい。例えば、外箱が通常の直方体である場合、エンド土手５の高さＬ5 は、フラップ３の長さＬ3 と同一とすることが好ましい。
【００１７】
一方、トレー１の長手方向の両側縁部には、該両側縁部の全長に至らない範囲でサイド土手７が設けられている。サイド土手７も、シート材料を二つ折りにし、その折り山をサイド土手上面７ａにした形態をしている。トレー１の両側縁部のサイド土手７で挟まれた空間が製品固定用窪み８となる。サイド土手７はエンド土手５と独立的に形成してもよいが、図示したように、連続させることが衝撃に対する緩衝作用を向上させる点で好ましい。
【００１８】
エンド土手５の高さＬ5 とサイド土手７の高さＬ7 については、両者を同一とするか、エンド土手５の高さをサイド土手７より高くすることが好ましい。これにより、衝撃に対する緩衝能を低下させることなく、トレー１のプラスチック量を低減させることができる。
【００１９】
また、エンド土手５の段差部６以外の部分の厚さＬw5は、フラップ３の緩衝部４の高さＬ4 と略同一とすることが好ましい。これにより、フラップ３側とエンド土手５側とで衝撃に対する緩衝能が略同一となる。
【００２０】
トレー１の長手方向のサイド土手不存在領域９のフラップ３寄りには枕状土手１０が設けられている。枕状土手１０の上面１０ａは、前述の段差部６と同様に、このトレー１に嵌め入れる長尺製品の外形と合致させることが好ましく、例えば、丸棒状製品を載置する場合には、図示したように凹曲面とすることが好ましい。
【００２１】
エンド土手５の段差部６の高さＬ6 と枕状土手１０の高さＬ10は、サイド土手７の高さＬ7 よりも低くする。また、トレー１に嵌め入れる長尺製品の外形にもよるが、例えば、長尺製品が一定径の丸棒状の場合には、エンド土手５の段差部６の高さＬ6 と枕状土手１０の高さＬ10とは同一とすることが好ましく、段差部の上面６ａと枕状土手の上面１０ａを凹ませる場合には、それらの上面の高さの最も低い位置における高さを同一とすることが好ましい。
【００２２】
トレー１の長手方向のサイド土手不存在領域９の両側縁部には、サイド土手不存在領域９が撓まないようにしてトレー１の取り扱い性を向上させるため、枠状リブ１１を設けることが好ましい。枠状リブ１１の高さＬ11はトレー１に嵌め入れた製品の取り出しを容易にする点から、サイド土手７の１／２０〜１／２又は１〜５ｍｍとすることが好ましく、また、枕状土手１０の高さＬ10より低いことが好ましい。
【００２３】
また、トレー１に嵌め入れた長尺製品が、トレー１の両側縁部のサイド土手７で挟持されるように、サイド土手７のトレー中央側ののり面にはリブ１２を形成することが好ましい。
【００２４】
なお、このトレー１は、ポリエチレン、ポリプロピレン、ＰＥＴ等の樹脂シートを真空成型、圧空成型、プレス成型等で成型することにより得ることができる。
【００２５】
このトレー１の使用方法としては、まず、長尺製品については、図２に示すように、長尺製品Ｓ1 を段差部６と枕状土手１０に載せるようにして製品固定用窪み８に嵌め入れ、フラップ３をヒンジ２で折り曲げ、緩衝部４を長尺製品Ｓ1 の端部に当接乃至対向させ、破線で示す外箱２０に収容する。この状態で、長尺製品Ｓ1 は、長手方向の両端がエンド土手５とフラップ３に形成された緩衝部４とで保護され、短手方向もサイド土手７で保護されている。このため、落下衝撃等による破損が抑制される。
【００２６】
また、エンド土手５やサイド土手７の縁辺には、成型上フランジ１３が形成されるが（図２（ｂ））、長尺製品Ｓ1 の長手方向の一端を保護する緩衝部４付きのフラップ３の縁辺にはフランジが無いため、製品をトレー１に嵌め入れ、さらに外箱２０に収容するライン作業における作業性を向上させることができる。
【００２７】
一方、このトレー１を短尺製品Ｓ2 に使用する場合には、図３に示すように、短尺製品Ｓ2 を段差部６と枕状土手１０の間に入るように製品固定用窪み８に嵌め入れ、破線で示す外箱２０に収容する。この状態で、短尺製品Ｓ2 は、長手方向の両端が段差部６と枕状土手１０とで保護され、短手方向もサイド土手７で保護される。このため、短尺製品Ｓ1 も落下衝撃等による破損が抑制される。
【００２８】
このように本実施例のトレー１は、長尺製品Ｓ1 と短尺製品Ｓ2 に共通して使用できる成型トレーとなる。
【００２９】
また、外箱２０から、トレー１に嵌め入れられた状態の製品Ｓ1,Ｓ2 を取り出し、さらにトレー１から製品Ｓ1,Ｓ2 を取り出す際には、サイド土手不存在領域９から容易に製品Ｓ1,Ｓ2 を摘み出すことができる。
【００３０】
本発明は、種々の態様をとることができる。
例えば、図４に示すトレー１Ｂのように、長手方向の両端に緩衝部４を有するフラップ３を設け、サイド土手不存在領域９を長手方向の両端部に形成してもよい。
また、枕状土手１０の形成位置は短尺製品Ｓ2 の長さに応じて、適宜変更することができる。
【産業上の利用可能性】
【００３１】
本発明のトレーは、化粧用品、医薬品、菓子類、文房具類、その他各種製品を外箱に収容する場合の成型トレーとして使用することができる。
【図面の簡単な説明】
【００３２】
【図１】実施例のトレーの（ａ）斜視図、（ｂ）上面図、（ｃ）断面図、（ｄ）断面図である。
【図２】実施例のトレーに長尺製品を嵌め入れた状態の説明図である。
【図３】実施例のトレーに短尺製品を嵌め入れた状態の説明図である。
【図４】異なる実施例のトレーの（ａ）上面図、（ｂ）断面図である。
【符号の説明】
【００３３】
１、１Ｂ    トレー
２    ヒンジ
３    フラップ
４    緩衝部
５    エンド土手
６    段差部
７    サイド土手
８    製品固定用窪み
９    サイド土手不存在領域
１０    枕状土手
１１    枠状リブ
１２    リブ
１３    フランジ
２０    外箱
Ｓ1     長尺製品
Ｓ2     短尺製品
【図１】
2010023913.tif 000003
【図２】
2010023913.tif 000004
【図３】
2010023913.tif 000005
【図４】
2010023913.tif 000006